(57)【要約】  瞬間的なＢＬＥＲの劣化を検出し、適正な目標ＳＩＲに早く収束させることで、基地局の送信電力を過剰に要求するのを防止する移動携帯端末およびその制御方法を提供する。  巡回冗長検査の良否判定に基づいて、通信環境の悪化を示すバーストエラー状態および通信環境の復帰を示すバーストエラー復帰状態ならびに通信環境の良好な状態を示す通常通信状態を検出し、バーストエラー状態の検出後、巡回冗長検査の良判定結果を得るごとに第１の減少量だけ目標ＳＩＲを減少させ、あらかじめ定めた減少量であるバーストエラー復帰判定基準だけ目標ＳＩＲを減少させた状態を検出して、検出した状態をバーストエラー復帰状態と判定し、目標ＳＩＲをあらかじめ定めた第２の減少量だけ減少させる目標ＳＩＲ制御部１０５を有する移動携帯端末およびその制御方法である。【特許請求の範囲】
【請求項１】
基地局からの送信信号に対して、巡回冗長検査を行って前記基地局との間の通信環境の良否を判定し、前記基地局からの送信電力を決定する目標ＳＩＲを増減させる移動携帯端末であって、
前記巡回冗長検査の否判定結果に応じて前記目標ＳＩＲをあらかじめ定めた増加量だけ増加させた後、あらかじめ定められた減少量であるバーストエラー判定基準だけ前記目標ＳＩＲを減少させる前に、再度前記巡回冗長検査の否判定結果が発生したことを検出して、この検出した状態を前記通信環境の悪化を示すバーストエラー状態と判定し、該バーストエラー状態の判定の後、前記巡回冗長検査の良判定結果を得るごとに前記第１の減少量だけ前記目標ＳＩＲを減少させ、
前記バーストエラー状態の検出の後に、あらかじめ定められた減少量であるバーストエラー復帰判定基準だけ前記目標ＳＩＲを減少させた状態を検出して、この検出した状態を前記通信環境の復帰を示すバーストエラー復帰状態と判定し、前記巡回冗長検査の良判定結果を得るごとにあらかじめ定めた第２の減少量だけ前記目標ＳＩＲを減少させ、
前記巡回冗長検査の否判定結果が発生したことを検出した後、あらかじめ定められた減少量である通常通信判定基準だけ前記目標ＳＩＲを減少させた状態を検出するか、または前記バーストエラー復帰状態の判定後、前記目標ＳＩＲがあらかじめ定められた通常通信状態閾値を下回ることを検出して、この検出した状態を前記通信環境の良好な状態を示す通常通信状態と判定し、前記第１の減少量だけ前記目標ＳＩＲを減少させる目標ＳＩＲ制御部を具備することを特徴とする移動携帯端末。
【請求項２】
請求項１に記載の移動携帯端末において、
前記目標ＳＩＲ制御部は、
増加直後の前記目標ＳＩＲをＴ＿ＳＩＲ（Ｔ−１）とし、前記巡回冗長検査の否判定結果が検出された時の前記目標ＳＩＲで、増加直前の前記目標ＳＩＲをＴ＿ＳＩＲ＿ｔｂｎｇとし、前記目標ＳＩＲの前記増加量をＳｉｎｃとし、前記バーストエラー状態を判定するバーストエラー判定係数をＴ＿ｂｕｒｓｔｉｎとしたときに、（１）式を満たすことを検出して、前記バーストエラー状態と判定する移動携帯端末。
Ｔ＿ＳＩＲ（Ｔ−１）＞Ｔ＿ＳＩＲ＿ｔｂｎｇ＋Ｓｉｎｃ＊Ｔ＿ｂｕｒｓｔｉｎ・・・（１）
【請求項３】
請求項１に記載の移動携帯端末において、
前記目標ＳＩＲ制御部は、
増加直後の前記目標ＳＩＲをＴ＿ＳＩＲ（Ｔ−１）とし、前記巡回冗長検査の否判定結果が検出された時の前記目標ＳＩＲで、増加直前の前記目標ＳＩＲをＴ＿ＳＩＲ＿ｔｂｎｇとし、前記目標ＳＩＲの前記増加量をＳｉｎｃとし、前記通常通信状態を判定する通常通信判定係数をＴ＿ｂｕｒｓｔｏｕｔとしたときに、（２）式を満たすことを検出して、前記通常通信状態と判定する移動携帯端末。
Ｔ＿ＳＩＲ（Ｔ−１）＜Ｔ＿ＳＩＲ＿ｔｂｎｇ＋Ｓｉｎｃ＊Ｔ＿ｂｕｒｓｔｏｕｔ・・・（２）
【請求項４】
請求項１に記載の移動携帯端末において、
前記目標ＳＩＲ制御部は、
増加直後の前記目標ＳＩＲをＴ＿ＳＩＲ（Ｔ−１）とし、前記巡回冗長検査の否判定結果が検出された時の前記目標ＳＩＲで、増加直前の前記目標ＳＩＲをＴ＿ＳＩＲ＿ｔｂｎｇとし、前記目標ＳＩＲの前記増加量をＳｉｎｃとし、前記バーストエラー復帰状態を判定するバーストエラー復帰判定係数をＴ＿ｂｕｒｓｔｏｋとしたときに、（３）式を満たすことを検出して、前記バーストエラー復帰状態と判定する移動携帯端末。
Ｔ＿ＳＩＲ（Ｔ−１）＜Ｔ＿ＳＩＲ＿ｔｂｎｇ＋Ｓｉｎｃ＊Ｔ＿ｂｕｒｓｔｏｋ・・・（３）
【請求項５】
請求項１または２に記載の移動携帯端末において、
前記バーストエラー判定基準が、前記（１）式の前記Ｓｉｎｃ＊Ｔ＿ｂｕｒｓｔｉｎで示される移動携帯端末。
【請求項６】
請求項１または３に記載の移動携帯端末において、
前記通常通信判定基準が、前記（２）式の前記Ｓｉｎｃ＊Ｔ＿ｂｕｒｓｔｏｕｔで示される移動携帯端末。
【請求項７】
請求項１または４に記載の移動携帯端末において、
前記バーストエラー復帰判定基準が、前記（３）式の前記Ｓｉｎｃ＊Ｔ＿ｂｕｒｓｔｏｋで示される移動携帯端末。
【請求項８】
基地局からの送信信号に対して、巡回冗長検査を行って前記基地局との間の通信環境の良否を判定し、前記基地局からの送信電力を決定する目標ＳＩＲを増減させる移動携帯端末の制御方法であって、
前記巡回冗長検査の否判定結果に応じて前記目標ＳＩＲをあらかじめ定めた増加量だけ増加させた後、あらかじめ定められた減少量であるバーストエラー判定基準だけ前記目標ＳＩＲを減少させる前に、再度前記巡回冗長検査の否判定結果が発生したことを検出して、この検出した状態を前記通信環境の悪化を示すバーストエラー状態と判定し、該バーストエラー状態の判定の後、前記巡回冗長検査の良判定結果を得るごとに前記第１の減少量だけ前記目標ＳＩＲを減少させるステップと、
前記バーストエラー状態の検出の後に、あらかじめ定められた減少量であるバーストエラー復帰判定基準だけ前記目標ＳＩＲを減少させた状態を検出して、この検出した状態を前記通信環境の復帰を示すバーストエラー復帰状態と判定し、前記巡回冗長検査の良判定結果を得るごとにあらかじめ定めた第２の減少量だけ前記目標ＳＩＲを減少させるステップと、
前記巡回冗長検査の否判定結果が発生したことを検出した後、あらかじめ定められた減少量である通常通信判定基準だけ前記目標ＳＩＲを減少させた状態を検出するか、または前記バーストエラー復帰状態の判定後、前記目標ＳＩＲがあらかじめ定められた通常通信状態閾値を下回ることを検出して、この検出した状態を前記通信環境の良好な状態を示す通常通信状態と判定し、前記第１の減少量だけ前記目標ＳＩＲを減少させるステップと、を具備することを特徴とする移動携帯端末の制御方法。
【発明の詳細な説明】
【技術分野】
【０００１】
本発明は、ＷＣＤＭＡ（株式会社エヌ・ティ・ティ・ドコモ登録商標、Wideband Code Division Multiple Access：広帯域符号分割多重接続）方式の移動携帯端末に係り、特にアウターループ送信電力制御に関する。
【背景技術】
【０００２】
従来、移動体通信システムに用いられている代表的な通信方式の１つにＷＣＤＭＡ（登録商標）がある。このＷＣＤＭＡ（登録商標）方式では、複数のチャネルが同じ周波数を用いるため、他のチャネルからの干渉を受けることが多い。【０００３】
ＷＣＤＭＡ（登録商標）方式におけるこのような他のチャネルからの干渉量は、一般的に基地局からの送信電力が大きい程干渉量も大きくなる。この干渉量は、基地局の回線容量を決める主な要因となることが分かっているので、基地局の送信電力をできるだけ小さくする方が運用する回線容量の面で望ましい。【０００４】
他方、移動機、移動携帯端末と基地局との通信品質は、ＳＩＲ（Signal to Interference Ratio：希望電力対干渉電力比）に依存する。すなわち、一般的に基地局の送信電力が大きくなると、ＳＩＲも大きくなり通信品質が向上し、基地局の送信電力が小さくなると、ＳＩＲも小さくなり通信品質が劣化する。【０００５】
したがって、移動機、移動携帯端末においては通信環境の状況に応じた適切な通信品質を満たし、かつ基地局の送信電力ができるだけ小さくなるように、移動機、移動携帯端末の目標ＳＩＲの大きさを制御することが必要となる。【０００６】
ＷＣＤＭＡ（登録商標）で通常用いられるアウターループ送信電力制御は、移動機、移動携帯端末の通信品質が網側の指定する所望の通信品質となるように基地局の送信電力を制御することで、回線容量と通信品質の最適化を図るものである。【０００７】
具体的には、基地局と移動携帯端末との間の通信品質を示すＢＬＥＲ（Block Error Rate：ブロックエラー率）が基地局のある網側から指定される目標ＢＬＥＲとなるように移動携帯端末の目標ＳＩＲを制御し、移動携帯端末が間接的に基地局の送信電力を制御する。【０００８】
この目標ＳＩＲの制御方法として、受信側でフレーム誤りを検知し、フレーム誤りをｍ回検知する毎に、フレーム誤りをｍ回検知するまでのフレーム数であるフレーム誤り数ｎを求め、フレーム誤り数ｎに応じてターゲットＳＩＲを増減させるセルラーシステム送信電力制御方法が開示されている（特許文献１参照）。
【特許文献１】特開２０００−２５２９１７号公報
【発明の開示】
【発明が解決しようとする課題】
【０００９】
しかしながら、通信環境を悪化させるシャドウイングなどの影響によりＢＬＥＲが瞬間的かつ急激に劣化するような環境では、網側から指定された目標ＢＬＥＲとＣＲＣ（Cyclic Redundancy Check：巡回冗長検査）の判定結果のみを用いて目標ＳＩＲの制御をした場合、図１の折れ線８０２に示すようにＢＬＥＲの判定結果が否判定であると、ＢＬＥＲ改善のために、折れ線８０１に示すように時間ＲＰで急激に目標ＳＩＲが大きくなり、ＢＬＥＲが改善された後もこの目標ＳＩＲの大きい状態が継続する。【００１０】
しかし、通信環境が良好な状態での目標ＳＩＲの適正な範囲は、図中では、Ｓ１からＳ２で示した範囲である。【００１１】
このため、この目標ＳＩＲの増加に応じて基地局の送信電力が著しく増加し、通信環境が復帰した後しばらくの間、移動携帯端末は、基地局の送信電力を過剰に要求することになるという問題があった。【００１２】
他方で、小さい値のＳＩＲで目標ＢＬＥＲを満たす良好な通信環境から、大きい値のＳＩＲでないと目標ＢＬＥＲを満たさないような悪い通信環境に移行した場合には、目標ＳＩＲを継続的に大きくし目標ＢＬＥＲを満たすようにする必要があるという問題があった。【００１３】
そこで本発明の目的は、瞬間的な通信環境の悪化および復帰を検出し、適正な目標ＳＩＲに早く収束させることで、基地局の送信電力を過剰に要求することを防止する移動携帯端末を提供することである。
【課題を解決するための手段】
【００１４】
上記目的を達成するために、本発明の移動携帯端末の第１の発明は、基地局からの送信信号に対して、巡回冗長検査を行って前記基地局との間の通信環境の良否を判定し、前記基地局からの送信電力を決定する目標ＳＩＲを増減させる移動携帯端末であって、
前記巡回冗長検査の否判定結果に応じて前記目標ＳＩＲをあらかじめ定めた増加量だけ増加させた後、あらかじめ定められた減少量であるバーストエラー判定基準だけ前記目標ＳＩＲを減少させる前に、再度前記巡回冗長検査の否判定結果が発生したことを検出して、この検出した状態を前記通信環境の悪化を示すバーストエラー状態と判定し、該バーストエラー状態の判定の後、前記巡回冗長検査の良判定結果を得るごとに前記第１の減少量だけ前記目標ＳＩＲを減少させ、
前記バーストエラー状態の検出の後に、あらかじめ定められた減少量であるバーストエラー復帰判定基準だけ前記目標ＳＩＲを減少させた状態を検出して、この検出した状態を前記通信環境の復帰を示すバーストエラー復帰状態と判定し、前記巡回冗長検査の良判定結果を得るごとにあらかじめ定めた第２の減少量だけ前記目標ＳＩＲを減少させ、
前記巡回冗長検査の否判定結果が発生したことを検出した後、あらかじめ定められた減少量である通常通信判定基準だけ前記目標ＳＩＲを減少させた状態を検出するか、または前記バーストエラー復帰状態の判定後、前記目標ＳＩＲがあらかじめ定められた通常通信状態閾値を下回ることを検出して、この検出した状態を前記通信環境の良好な状態を示す通常通信状態と判定し、前記第１の減少量だけ前記目標ＳＩＲを減少させる目標ＳＩＲ制御部を具備する移動携帯端末である。【００１５】
第２の発明は、第１の発明に記載の移動携帯端末において、
前記目標ＳＩＲ制御部は、
増加直後の前記目標ＳＩＲをＴ＿ＳＩＲ（Ｔ−１）とし、前記巡回冗長検査の否判定結果が検出された時の前記目標ＳＩＲで、増加直前の前記目標ＳＩＲをＴ＿ＳＩＲ＿ｔｂｎｇとし、前記目標ＳＩＲの前記増加量をＳｉｎｃとし、前記バーストエラー状態を判定するバーストエラー判定係数をＴ＿ｂｕｒｓｔｉｎとしたときに、（１）式を満たすことを検出して、前記バーストエラー状態と判定するものである。
Ｔ＿ＳＩＲ（Ｔ−１）＞Ｔ＿ＳＩＲ＿ｔｂｎｇ＋Ｓｉｎｃ＊Ｔ＿ｂｕｒｓｔｉｎ・・・（１）【００１６】
第３の発明は、第１の発明に記載の移動携帯端末において、
前記目標ＳＩＲ制御部は、
増加直後の前記目標ＳＩＲをＴ＿ＳＩＲ（Ｔ−１）とし、前記巡回冗長検査の否判定結果が検出された時の前記目標ＳＩＲで、増加直前の前記目標ＳＩＲをＴ＿ＳＩＲ＿ｔｂｎｇとし、前記目標ＳＩＲの前記増加量をＳｉｎｃとし、前記通常通信状態を判定する通常通信判定係数をＴ＿ｂｕｒｓｔｏｕｔとしたときに、（２）式を満たすことを検出して、前記通常通信状態と判定するものである。
Ｔ＿ＳＩＲ（Ｔ−１）＜Ｔ＿ＳＩＲ＿ｔｂｎｇ＋Ｓｉｎｃ＊Ｔ＿ｂｕｒｓｔｏｕｔ・・・（２）【００１７】
第４の発明は、第１の発明に記載の移動携帯端末において、
前記目標ＳＩＲ制御部は、
増加直後の前記目標ＳＩＲをＴ＿ＳＩＲ（Ｔ−１）とし、前記巡回冗長検査の否判定結果が検出された時の前記目標ＳＩＲで、増加直前の前記目標ＳＩＲをＴ＿ＳＩＲ＿ｔｂｎｇとし、前記目標ＳＩＲの前記増加量をＳｉｎｃとし、前記バーストエラー復帰状態を判定するバーストエラー復帰判定係数をＴ＿ｂｕｒｓｔｏｋとしたときに、（３）式を満たすことを検出して、前記バーストエラー復帰状態と判定するものである。
Ｔ＿ＳＩＲ（Ｔ−１）＜Ｔ＿ＳＩＲ＿ｔｂｎｇ＋Ｓｉｎｃ＊Ｔ＿ｂｕｒｓｔｏｋ・・・（３）【００１８】
第５の発明は、第１または第２の発明に記載の移動携帯端末において、
前記バーストエラー判定基準が、前記（１）式の前記Ｓｉｎｃ＊Ｔ＿ｂｕｒｓｔｉｎで示されるものである。【００１９】
第６の発明は、第１または第３の発明に記載の移動携帯端末において、
前記通常通信判定基準が、前記（２）式の前記Ｓｉｎｃ＊Ｔ＿ｂｕｒｓｔｏｕｔで示されるものである。【００２０】
第７の発明は、第１または第４の発明に記載の移動携帯端末において、
前記バーストエラー復帰判定基準が、前記（３）式の前記Ｓｉｎｃ＊Ｔ＿ｂｕｒｓｔｏｋで示されるものである。【００２１】
第８の発明は、基地局からの送信信号に対して、巡回冗長検査を行って前記基地局との間の通信環境の良否を判定し、前記基地局からの送信電力を決定する目標ＳＩＲを増減させる移動携帯端末の制御方法であって、
前記巡回冗長検査の否判定結果に応じて前記目標ＳＩＲをあらかじめ定めた増加量だけ増加させた後、あらかじめ定められた減少量であるバーストエラー判定基準だけ前記目標ＳＩＲを減少させる前に、再度前記巡回冗長検査の否判定結果が発生したことを検出して、この検出した状態を前記通信環境の悪化を示すバーストエラー状態と判定し、該バーストエラー状態の判定の後、前記巡回冗長検査の良判定結果を得るごとに前記第１の減少量だけ前記目標ＳＩＲを減少させるステップと、
前記バーストエラー状態の検出の後に、あらかじめ定められた減少量であるバーストエラー復帰判定基準だけ前記目標ＳＩＲを減少させた状態を検出して、この検出した状態を前記通信環境の復帰を示すバーストエラー復帰状態と判定し、前記巡回冗長検査の良判定結果を得るごとにあらかじめ定めた第２の減少量だけ前記目標ＳＩＲを減少させるステップと、
前記巡回冗長検査の否判定結果が発生したことを検出した後、あらかじめ定められた減少量である通常通信判定基準だけ前記目標ＳＩＲを減少させた状態を検出するか、または前記バーストエラー復帰状態の判定後、前記目標ＳＩＲがあらかじめ定められた通常通信状態閾値を下回ることを検出して、この検出した状態を前記通信環境の良好な状態を示す通常通信状態と判定し、前記第１の減少量だけ前記目標ＳＩＲを減少させるステップと、を具備する移動携帯端末の制御方法である。【００２２】
従来の移動携帯端末は、巡回冗長検査を行って、この巡回冗長検査としてＢＬＥＲの良否判定を行い、この判定結果が否判定の場合の発生ごとに、目標ＳＩＲをあらかじめ定めた増加量だけ増加させ、このＢＬＥＲの判定結果が良判定の場合に、増加させた一定量に比較するとこれよりも少量の一定量だけ目標ＳＩＲを減少させていた。このため、この目標ＳＩＲの減少の程度は、目標ＳＩＲの増加の急激さに比べて緩やかであった。【００２３】
従来はこのように、移動携帯端末は、ＢＬＥＲの良否に基づいて目標ＳＩＲの増減の制御を行っていた。【００２４】
本発明では、目標ＳＩＲの増加は従来どおりＢＬＥＲの否判定結果によって行っているが、本移動携帯端末の目標ＳＩＲの減少の制御は、目標ＳＩＲ制御部で検出した状態により、さらに詳細な通信品質の評価を行う機能を有している。【００２５】
この目標ＳＩＲ制御部が通信環境を検出する状態は、バーストエラー状態、バーストエラー復帰状態および通常通信状態の３段階になっており、目標ＳＩＲの減少は、おのおのの状態に応じてあらかじめ定めた減少量だけ行う。【００２６】
バーストエラー状態は、従来の巡回冗長検査の否判定結果を基に、この巡回冗長検査のＢＬＥＲの否判定結果が連続して発生した通信環境の悪化のほか、連続に近い状態でこの巡回冗長検査の否判定結果が発生した通信環境の場合にもバーストエラー状態と判定する。【００２７】
具体的には、目標ＳＩＲ制御部は、前回受信した際の巡回冗長検査の判定結果が否であることに基づき目標ＳＩＲを増加させた後、巡回冗長検査が一時的に良判定となり目標ＳＩＲを第１の減少量だけ減少させるが、目標ＳＩＲ制御部は、目標ＳＩＲがあらかじめ定めた減少量であるバーストエラー判定基準まで減少する前に、再度巡回冗長検査の判定結果が否判定となり、目標ＳＩＲがあらかじめ定めた増加量だけ増加した状態も検出し、バーストエラー状態と判定する。【００２８】
目標ＳＩＲ制御部は、バーストエラー状態と判定した後に、受信ごとに巡回冗長検査の良判定結果が得られることで、この受信ごとに目標ＳＩＲをあらかじめ定めた第１の減少量だけ減少させる。この結果、目標ＳＩＲの増加が止まってから、目標ＳＩＲの減少量があらかじめ定めたバーストエラー復帰判定基準だけ減少した場合には、バーストエラー復帰状態と判定する。【００２９】
目標ＳＩＲ制御部は、バーストエラー復帰状態と判定すると、受信ごとに巡回冗長検査の良判定結果が得られることで、この受信ごとに目標ＳＩＲをあらかじめ定めた第２の減少量だけ減少させる。【００３０】
次に目標ＳＩＲ制御部は、巡回冗長検査の否判定結果が発生した後に、受信ごとの巡回冗長検査の判定結果が良判定となることで、この受信に対する目標ＳＩＲをあらかじめ定めた第１の減少量だけ減少させる。この結果、目標ＳＩＲの増加が止まってから、目標ＳＩＲの減少量があらかじめ定めた通常通信判定基準量だけ減少した場合には、通常通信状態と判定する。【００３１】
目標ＳＩＲ制御部は、目標ＳＩＲをあらかじめ定めた第２の減少量だけ減少させ、目標ＳＩＲがあらかじめ定めた通常通信状態閾値を下回る場合にも、通常通信状態と判定する。【００３２】
検出されたおのおのの状態においては、新たにＢＬＥＲの否判定結果が得られない限り、目標ＳＩＲ制御部でいずれの状態が検出された状況においても、状態に対応して目標ＳＩＲを減少するように制御が行われる。【００３３】
ここで、バーストエラー復帰状態の際の目標ＳＩＲの減少量は、バーストエラー状態および通常通信状態における目標ＳＩＲの減少量よりも大きくしてもよく、この場合バーストエラー復帰状態においては、目標ＳＩＲの減少の割合が大きくなっているため、目標ＳＩＲの減少の速度が速くなる。【００３４】
この結果、基地局と移動携帯端末との間の通信環境が何らかの原因で一時的に悪化し、ＢＬＥＲの良否判定が否となり、その後直ぐに通信環境が元通りに改善された場合に、この通信品質の改善に応じて目標ＳＩＲの減少を早めて適切な目標ＳＩＲとすることができる。【００３５】
バーストエラー状態が検出されている場合には、第１の減少量だけ目標ＳＩＲを減少させ、目標ＳＩＲの減少量のステップが小さいため、バーストエラー状態が継続しても、目標ＳＩＲが低くなってＢＬＥＲ判定結果が否となるようなことがなく、適切な目標ＳＩＲに制御されている。
【発明の効果】
【００３６】
本発明によれば、瞬間的な通信環境の悪化および復帰を検出し、適正な目標ＳＩＲに早く収束させることで基地局の送信電力を過剰に要求することを防止する移動携帯端末を得られる。
【発明を実施するための最良の形態】
【００３７】
ＷＣＤＭＡ（登録商標）における目標ＳＩＲの制御については、従来は既に説明したように、ＢＬＥＲの良否のみに基づいて行っていた。【００３８】
このため、目標ＳＩＲを増加させる制御に関しては、通信環境の変化に応じて直ぐに対応する目標ＳＩＲの増加を行うことができたが、目標ＳＩＲの減少に関しては、必ずしも通信環境の変化に直ぐに対応できていなかった。【００３９】
そこで、発明者は、目標ＳＩＲの減少と従来のＢＬＥＲによる通信環境の変化の検出とを利用して、さらに通信環境の検出を細かく行うことで、この細かい環境変化の検出に対応して適切に目標ＳＩＲを減少させる移動携帯端末の目標ＳＩＲ制御を提案する。【００４０】
本発明を実施するための形態について図面を参照して詳細に説明する。【００４１】
図２は、本実施形態の移動携帯端末の構成例を示すブロック図である。【００４２】
図２を参照すると、本実施形態の移動携帯端末は、図示しない基地局との間で電磁波を送受信する空中線１０９と、空中線１０９との間で電磁波を送受信する無線部１０１と、無線部１０１からの高周波信号を復調し、また符号化された信号を変調信号に変換する変復調部１０２と、送信するための符号化された信号を生成し、また入力された復調信号を復号化し目標ＢＬＥＲと巡回冗長検査の判定結果を示すＢＬＥＲとを出力する符復号部１０３と、変復調部１０２から入力された復調信号からＳＩＲを算出するＳＩＲ測定部１０４と、符復号部１０３から入力された巡回冗長検査の判定結果および目標ＳＩＲの変化量に基づいて、通信環境の悪化を示すバーストエラー状態および通信環境の復帰を示すバーストエラー復帰状態ならびに通信環境の良好な状態を示す通常通信状態をおのおの検出し、これら検出した状態に応じて目標ＳＩＲの増減を制御する目標ＳＩＲ制御部１０５と、ＳＩＲ測定部１０４から出力されたＳＩＲと目標ＳＩＲ制御部１０５で決定された目標ＳＩＲ値を元にアップリンクのＴＰＣ（Transmission power Control：送信電力制御）ｂｉｔを決定するＴＰＣ部１０６とを備えて構成される。【００４３】
目標ＳＩＲ制御部１０５は、符復号部１０３から入力された目標ＢＬＥＲと巡回冗長検査の判定結果ＢＬＥＲに基づいてあらかじめ定めた増加量だけ目標ＳＩＲを増加する従来の機能を有する他、既に述べた通信環境の状態を検出する機能を有している。【００４４】
この目標ＳＩＲ制御部１０５の有する機能である通信環境の３状態の検出は、詳しくは次に示すようになっている。【００４５】
目標ＳＩＲ制御部１０５は、基地局から送信された送信信号を送信毎に本移動携帯端末が受信し、受信した際の巡回冗長検査の判定結果であるＢＬＥＲが否判定であることに基づき目標ＳＩＲを増加させた後、再び受信した際の巡回冗長検査の判定結果であるＢＬＥＲが否判定であることが繰り返されて、否判定ごとに目標ＳＩＲをあらかじめ定めた増加量だけ増加させた場合に、この状態を検出しバーストエラー状態と判定する。【００４６】
また目標ＳＩＲ制御部１０５は、基地局から送信された送信信号を送信毎に本移動携帯端末が受信し、前回受信した際の巡回冗長検査の判定結果であるＢＬＥＲが否判定であることに応じて目標ＳＩＲをあらかじめ定めた増加量だけ増加させた後、巡回冗長検査が一時的に良判定となると目標ＳＩＲがあらかじめ定めた第１の減少量だけ減少されるが、目標ＳＩＲがあらかじめ定めたバーストエラー判定基準まで減少する前に、再度巡回冗長検査の判定結果が否判定となり、目標ＳＩＲをあらかじめ定めた増加量だけ増加させた状態も、この状態を検出しバーストエラー状態と判定する。【００４７】
目標ＳＩＲ制御部１０５は、前回受信時バーストエラー状態と判定した後に、受信ごとに巡回冗長検査の良判定結果が得られることで、この受信ごとに目標ＳＩＲをあらかじめ定めた第１の減少量だけ減少させる。この結果、目標ＳＩＲの増加が止まってから、目標ＳＩＲの減少量があらかじめ定めたバーストエラー復帰判定基準だけ減少した場合には、バーストエラー復帰状態と判定する。【００４８】
目標ＳＩＲ制御部１０５は、バーストエラー復帰状態と判定した後に、受信ごとに巡回冗長検査の良判定結果が得られることで、この受信ごとに目標ＳＩＲをあらかじめ定めた第２の減少量だけ減少させる。【００４９】
目標ＳＩＲ制御部１０５は、巡回冗長検査の判定結果であるＢＬＥＲで否判定が得られ、目標ＳＩＲをあらかじめ定めた増加量だけ増加させた後、巡回冗長検査の判定結果であるＢＬＥＲが良判定であるごとに目標ＳＩＲをあらかじめ定められた第１の減少量だけ減少させる。この結果、目標ＳＩＲの増加が止まってから、目標ＳＩＲの減少量があらかじめ定めた通常通信判定基準だけ減少した場合には、この状態を検出し通常通信状態と判定する。【００５０】
目標ＳＩＲ制御部１０５はまた、バーストエラー復帰状態と判定した後に、巡回冗長検査の判定結果であるＢＬＥＲが良判定であるごとに目標ＳＩＲをあらかじめ定められた第２の減少量だけ減少させ、目標ＳＩＲがあらかじめ定めた通常通信状態閾値を下回る場合にも、通常通信状態と判定する。【００５１】
無線部１０１は、無線周波数信号の送受信を行う高周波信号処理回路であり、変復調部１０２から入力されたベースバンド変調信号により変調され、周波数変換された結果、高周波信号を空中線１０９に出力し、また、空中線１０９で受信した基地局からの高周波信号を受信して周波数変換し、変復調部１０２に出力する機能を有する。【００５２】
変復調部１０２は、無線部１０１で周波数変換された無線周波数信号を復調して、ベースバンド復調信号を出力する復調機能を有し、また符復号部１０３から入力された符号化信号をもとにしてベースバンド変調信号を生成し出力する変調機能を有する。【００５３】
符復号部１０３は、送信するための符号化した信号を生成し変復調部１０２に出力する符号化機能を有し、また変復調部１０２から入力されたベースバンド復調信号を復号化して、データの誤りを検出する方式の１つであるＣＲＣ判定などを行い、また基地局から送信された目標ＢＬＥＲを抽出し、これらを目標ＳＩＲ制御部１０５に出力する機能を有する。【００５４】
この目標ＢＬＥＲは、網側から指定されるパラメータであり、本移動携帯端末で受信して、符復号部１０３で復号した情報の中に含まれている。【００５５】
ＳＩＲ測定部１０４は、変復調部１０２から出力されたベースバンド復調信号からＳＩＲを算出して出力する機能を有している。【００５６】
ＴＰＣ部１０６は、ＳＩＲ測定部１０４で算出されたＳＩＲと目標ＳＩＲ制御部１０５で決定された目標ＳＩＲ値を元に本移動携帯端末から基地局へのアップリンクのＴＰＣ  ｂｉｔを決定する機能を有する。【００５７】
空中線１０９は無線部１０１の一端に接続されており、無線部１０１の他端は変復調部１０２の一端に接続されており、変復調部１０２の他端はＳＩＲ測定部１０４の一端に接続されており、ＳＩＲ測定部１０４の他端はＴＰＣ部１０６の一端に接続されている。【００５８】
変復調部は符復号部１０３の一端に接続されており、符復号部１０３の他端は目標ＳＩＲ制御部１０５の一端に接続されており、目標ＳＩＲ制御部１０５の他端はＴＰＣ部１０６の他端に接続されており、ＴＰＣ部１０６の出力端は符復号部１０３に接続されている。【００５９】
次に、本実施形態の携帯端末装置の動作について図１〜４を用いて詳細に説明する。【００６０】
図示しない基地局から送信された送信信号は、移動携帯端末の空中線１０９で受信される。空中線１０９で受信された基地局からの送信信号は、無線部１０１に入力され、周波数変換されてベースバンド処理が可能な周波数帯の無線周波数信号となり、変復調部１０２に入力される。変復調部１０２に入力された無線周波数信号は、復調されベースバンド復調信号となり、符復号部１０３およびＳＩＲ測定部１０４に入力される。【００６１】
ＳＩＲ測定部１０４に入力されたベースバンド復調信号により、ＳＩＲ測定部１０４は、希望電力対干渉電力比（ＳＩＲ）を算出し、この算出された希望電力対干渉電力比はＴＰＣ部１０６に入力される。【００６２】
符復号部１０３に入力されたベースバンド復調信号により、符復号部１０３は、巡回冗長検査（ＣＲＣ判定）を行いＢＬＥＲを算出し、目標ＢＬＥＲを算出し、このＣＲＣ判定結果および算出された目標ＢＬＥＲは、目標ＳＩＲ制御部１０５に入力される。【００６３】
目標ＳＩＲ制御部１０５に入力されたＣＲＣ判定結果ＢＬＥＲおよび目標ＢＬＥＲにより、目標ＳＩＲ制御部１０５は、次に説明する処理を行う。【００６４】
図３は、本移動携帯端末の目標ＳＩＲ制御部１０５の動作を示すフローチャートである。【００６５】
図示したように、目標ＳＩＲ制御部１０５は、個別チャネルによる基地局との通信が開始されると、開始時に目標ＳＩＲの初期値を設定し、目標ＳＩＲの制御を開始する（ステップ２０１）。【００６６】
この目標ＳＩＲ制御は、具体的には目標ＳＩＲ制御部１０５で、符復号部１０３から出力された目標ＢＬＥＲに収束するように目標ＳＩＲを決定する。【００６７】
この目標ＳＩＲを決定するための目標ＳＩＲの増減の制御は、受信の最初には従来の目標ＳＩＲ増減の制御で行ってもよいし、通常通信状態を検出した場合のあらかじめ定めた第１の減少量によって目標ＳＩＲを減少させてもよい（ステップ２０２）。【００６８】
この目標ＳＩＲの制御は、従来技術の移動携帯端末と同様に、受信ごとにＢＬＥＲを検出し、このＢＬＥＲが否判定の場合に、目標ＳＩＲをあらかじめ定めた目標ＳＩＲの増加量だけ一定量増加させ、ＢＬＥＲが良判定の場合には、目標ＳＩＲをあらかじめ定めた一定量ステップの減少量だけ減少させて行う。【００６９】
この目標ＳＩＲ制御中は、目標ＳＩＲ制御部１０５において、バーストエラー状態の検出を行って、通信状態が通信環境の悪化を示すバーストエラー状態か否かの判定を行う（ステップ２０４）。【００７０】
このバーストエラー状態判定の例を、次に示す。【００７１】
通信状態のバーストエラー状態を検出するのに、次に示す（１）式によって行い、この式を満たす場合には、通信回線の状態がバーストエラー状態であると判定する。
Ｔ＿ＳＩＲ（Ｔ−１）＞Ｔ＿ＳＩＲ＿ｔｂｎｇ＋Ｓｉｎｃ＊Ｔ＿ｂｕｒｓｔｉｎ・・・（１）
ここで、（１）式に用いる各変数は、次に示すように対応している。【００７２】
Ｔ＿ＳＩＲ（Ｔ−１）：前回の目標ＳＩＲ（増加直後の目標ＳＩＲ）
Ｔ＿ＳＩＲ＿ｔｂｎｇ：前回受信時ＣＲＣ−ＮＧが発生した時の目標ＳＩＲで、ＳＩＲ増加直前の目標ＳＩＲ
Ｓｉｎｃ：あらかじめ定めた目標ＳＩＲの増加量
Ｔ＿ｂｕｒｓｔｉｎ：バーストエラー判定係数
（１）式は、前回の受信時までに巡回冗長検査の否判定結果ＣＲＣ−ＮＧ（すなわち、ＢＬＥＲが否判定結果である）が連続して発生し、目標ＳＩＲをあらかじめ定めた増加量づつ増加させてから一定の割合であるバーストエラー判定基準（これは、（１）式のＳｉｎｃ＊Ｔ＿ｂｕｒｓｔｉｎで示される）まで目標ＳＩＲを減少させる前に、再度ＣＲＣ−ＮＧが発生した場合を示しており、この状態をバーストエラー状態と称し、目標ＳＩＲ制御部１０５はこの状態を検出したときにバーストエラー状態と判定する。【００７３】
また、（１）式で示す判定条件の代わりに、例えば、本移動携帯端末が一定期間内にＣＲＣ−ＮＧを一定回数以上検出することを、このバーストエラー状態判定の条件（すなわち基準）としてもよいし、移動携帯端末がＣＲＣ−ＮＧを連続一定以上検出することを、このバーストエラー状態判定の条件としてもよい。【００７４】
目標ＳＩＲ制御部１０５が、バーストエラー状態と判定して、次に巡回冗長検査の良判定結果を本移動携帯端末が検出した場合に、目標ＳＩＲ制御部１０５は、目標ＳＩＲをあらかじめ定めた第１の減少量だけ減少させる。【００７５】
これらのバーストエラー状態判定でバーストエラー状態の条件を満たさない場合は、基地局との通信状態は通常通信状態と判定され、ステップ２０４の左方のＮｏの流れを辿り、ステップ２０２の従来の目標ＳＩＲ制御を継続する。【００７６】
ステップ２０４のバーストエラー検出でバーストエラー判定条件を満たした場合には、ステップ２０４の下方のＹｅｓの流れを辿り、このバーストエラー状態において目標ＳＩＲ制御部１０５は従来同様の目標ＳＩＲ制御を行う（ステップ２０５）。【００７７】
この目標ＳＩＲ制御は、ステップ２０２で説明した目標ＳＩＲ制御と同様の制御を行うとよい。より具体的には、目標ＳＩＲ制御部１０５が、バーストエラー状態と判定して、次に巡回冗長検査の良判定結果を本移動携帯端末が検出した場合に、目標ＳＩＲ制御部１０５は、目標ＳＩＲをあらかじめ定めた第１の減少量だけ減少させるとよい。【００７８】
また、ＢＬＥＲの否判定を得た場合には、あらかじめ定めた増加量だけ目標ＳＩＲを増加させるとよい。【００７９】
このようにバーストエラーが検出され従来の目標ＳＩＲ制御が行われている状態で、次に、通常通信状態の検出を行い、通常通信状態判定を行う（ステップ２０７）。【００８０】
この通常通信状態判定の例を、次に示す。【００８１】
この通常通信状態を検出するのに、次に示す（２）式によって行い、この式を満たす場合には、通常通信状態であると判定する。【００８２】
Ｔ＿ＳＩＲ（Ｔ−１）＜Ｔ＿ＳＩＲ＿ｔｂｎｇ＋Ｓｉｎｃ＊Ｔ＿ｂｕｒｓｔｏｕｔ・・・（２）
ここで、（２）式に用いる変数は、次に示すように対応している。【００８３】
Ｔ＿ｂｕｒｓｔｏｕｔ：通常通信判定係数
（２）式は、巡回冗長検査が否判定結果で、ＣＲＣ−ＮＧが発生してから目標ＳＩＲを増加させた後、ＣＲＣ−ＯＫとなり、あらかじめ定めた減少量である通常通信判定基準（これは、（２）式のＳｉｎｃ＊Ｔ＿ｂｕｒｓｔｏｕｔで示される）まで目標ＳＩＲを減少させた場合を示しており、この状態を通信環境の良好な状態を示す通常通信状態と称し、目標ＳＩＲ制御部１０５はこの（２）式の状態を検出したときに通常通信状態と判定する。【００８４】
なお、この（２）式を満たす前提として、前回の受信でＣＲＣ−ＮＧのトランスポートブロックの受信がなされていることとする。【００８５】
このように前回の受信での巡回冗長検査の判定結果に応じて、目標ＳＩＲの減少量を制御でき、このため巡回冗長検査の判定結果にも対応する適正な目標ＳＩＲの制御ができる。【００８６】
また、目標ＳＩＲ制御部１０５は、（２）式による通常通信状態の判定のほか、バーストエラー復帰状態の判定後、前記目標ＳＩＲがあらかじめ定められた通常通信状態閾値を下回ることを検出して、通常通信状態と判定してもよい。【００８７】
この、通常通信状態判定で通常通信状態条件を満たす場合には、通信状態は通常通信状態と判定され、ステップ２０７の左方のＹｅｓの流れを辿り、ステップ２０２の従来の目標ＳＩＲ制御を継続する。【００８８】
ステップ２０７の通常通信状態判定の結果、通常通信状態でないと判定された場合には、ステップ２０７の下方のＮｏ流れを辿り、バーストエラー復帰状態の検出を行い、バーストエラー復帰状態判定を行う（ステップ２０９）。【００８９】
このバーストエラー復帰状態判定の例を次に示す。【００９０】
このバーストエラー復帰状態判定に当たっては次に示す（３）式によって行い、この（３）式を満たす場合には、バーストエラー復帰状態へ移行するものと判定する。【００９１】
Ｔ＿ＳＩＲ（Ｔ−１）＜Ｔ＿ＳＩＲ＿ｔｂｎｇ＋Ｓｉｎｃ＊Ｔ＿ｂｕｒｓｔｏｋ・・・（３）
ここで、（３）式に用いる変数は、次に示すように対応している。【００９２】
Ｔ＿ｂｕｒｓｔｏｋ：バーストエラー復帰判定係数
（３）式は、バーストエラー状態で前回巡回冗長検査の否判定結果ＣＲＣ−ＮＧが発生して目標ＳＩＲが増加した後、巡回冗長検査の良判定結果ＣＲＣ−ＯＫ（すなわち、ＢＬＥＲが良判定結果である）が継続し、巡回冗長検査の良判定結果ごとに目標ＳＩＲを第１の減少量だけ減少させ、あらかじめ定めた減少量であるバーストエラー復帰判定基準（これは、（３）式のＳｉｎｃ＊Ｔ＿ｂｕｒｓｔｏｋで示される）まで目標ＳＩＲを減少させることができた場合を示している。【００９３】
なお、この（３）式を満たす前提として、バーストエラー状態を検出していることとする。【００９４】
この（２）式を満たす状態を通信環境の復帰を示すバーストエラー復帰状態と称し、目標ＳＩＲ制御部１０５はこの状態を検出したときにバーストエラー復帰状態と判定する。【００９５】
また、前回の受信時に目標ＳＩＲ制御部１０５がバーストエラー復帰状態と判定し、次の受信時に巡回冗長検査の良判定結果ＣＲＣ−ＯＫで目標ＳＩＲをあらかじめ定めた第２の減少量だけ減少させる場合にも、目標ＳＩＲ制御部１０５はバーストエラー復帰状態と判定してもよい。【００９６】
また、（３）式で示す判定条件の代わりに、例えば、本移動携帯端末が一定回数巡回冗長検査の良判定結果ＣＲＣ−ＯＫを受信することを、このバーストエラー復帰状態判定の条件（すなわち基準）としてもよい。【００９７】
ステップ２０９のバーストエラー復帰状態判定の結果、バーストエラー復帰判定基準を満たさない場合、すなわちバーストエラー復帰状態でないと判定された場合には、ステップ２０９の右方のバーストエラー復帰状態ＮＯの流れを辿り、ステップ２０５の従来の目標ＳＩＲ制御を継続する（ステップ２０２）。【００９８】
このときは、バーストエラー復帰状態には至らず、バーストエラー状態が継続しており、ＢＬＥＲの否判定結果ごとに、目標ＳＩＲが第１の減少量だけ減少されるＳＩＲ制御が行われる。【００９９】
ステップ２０９において、バーストエラー復帰状態の判定条件を満たした場合は、ステップ２０９の下方のＹｅｓの流れを辿り、バーストエラー復帰状態時の目標ＳＩＲ制御（復帰）を行う（ステップ２１０）。【０１００】
このバーストエラー復帰状態時の目標ＳＩＲ制御（復帰）を行う場合には、従来の目標ＳＩＲの減少幅である第１の減少量よりも大きい第２の減少量だけ目標ＳＩＲを減少させることで、バーストエラー状態時より速いスピードで目標ＳＩＲを減少させる。このため、バーストエラー復帰状態を検出したときには、目標ＳＩＲを適正な値に速く収束させ、通常通信状態の制御に早く移行させることができる。【０１０１】
第２の減少量だけ目標ＳＩＲを減少させた後、次に通常通信状態の検出を行って、通常通信状態判定を行う（ステップ２１２）。【０１０２】
このステップ２１２の判定で、通常通信状態の判定条件を満たさなかった場合には、ステップ２１２の右方のＮｏの流れを辿り、ステップ２１０のバーストエラー復帰状態時の目標ＳＩＲ制御（復帰）を継続する（ステップ２１０）。【０１０３】
このステップ２１２の判定で、（２）式に示す通常通信状態の判定条件を満たし通常通信状態と判定された場合には、ステップ２１２の下方のＹｅｓの流れを辿り、目標ＳＩＲ制御部１０５は、従来同様の目標ＳＩＲ制御を行う（ステップ２０２）。【０１０４】
以上のような手順により目標ＳＩＲ制御部１０５で目標ＳＩＲ制御が行われ、この結果決定された目標ＳＩＲは、ＴＰＣ部１０６に入力される。【０１０５】
ＴＰＣ部１０６において、ＳＩＲ測定部１０４から出力されたＳＩＲと目標ＳＩＲ制御部１０５で決定された目標ＳＩＲ値を元にアップリンクのＴＰＣ  ｂｉｔを決定する。【０１０６】
このようにして瞬間的にＢＬＥＲの急激な劣化が発生する環境での目標ＳＩＲ制御部１０５で制御された目標ＳＩＲの状態の例を、図４に示す。【０１０７】
図４の縦軸は、上から順に、目標ＳＩＲの値を示す軸、ＢＬＥＲの値を示す軸、バーストエラー状態、バーストエラー復帰状態、通常状態を示す軸からなり、横軸はそれぞれ時間軸を示す。【０１０８】
図中の折れ線７０１は、目標ＳＩＲ制御部１０５で決定された目標ＳＩＲの変化を示し、折れ線７０２は、符復号部１０３から出力されるＢＬＥＲの良否判定の変化を示し、折れ線７０３は、受信した信号の通常通信状態ＢＮ、バーストエラー状態ＢＥ、バーストエラー復帰状態ＢＲの遷移を示す。【０１０９】
折れ線７０２は、時間軸に一致してパルスがない状態は、ＢＬＥＲが良判定結果（すなわち、巡回冗長検査の判定結果は、ＣＲＣ−ＯＫである）で通信環境が良好であることを示し、時間軸からパルスが立ち上がった状態は、ＢＬＥＲが否判定結果（すなわち、巡回冗長検査の判定結果は、ＣＲＣ−ＮＧである）であることを示し、このパルスが上方に向かって高くなっている程、ブロックエラー率が悪くなっており、通信環境が悪化していることを示す。【０１１０】
図示したようにまず、時間Ｔａの間の状態では、通常通信状態ＢＮが検出されており、目標ＳＩＲ制御部１０５で図３に示したステップ２０１、ステップ２０２の目標ＳＩＲ制御が行われた後、バーストエラー状態の判定が行われる（ステップ２０４）。【０１１１】
このときは、ステップ２０４の検出・判定でバーストエラー状態の判定条件（（１）式）を満たさないので、目標ＳＩＲ制御部１０５は、ステップ２０２の目標ＳＩＲ制御を継続する。【０１１２】
次に、増加した目標ＳＩＲは時間ＲＰの前で一旦は減少するが、バーストエラー判定基準（図４中Ｐ１で示す）だけ目標ＳＩＲが減少する前に再び通信環境が悪化してＢＬＥＲが急激に劣化する。この劣化が折れ線７０２の時間ＲＰの間で観測され、時刻ｔ２からスタートする時間Ｔｃの状態では、ステップ２０４において（１）式に示すバーストエラー状態の判定条件を満たす。【０１１３】
目標ＳＩＲ制御部１０５はこの（１）式の条件に合致することからバーストエラー状態ＢＥを検出し、このバーストエラー状態ＢＥと判定したときにも、目標ＳＩＲ制御部１０５は、ステップ２０５に示すように従来と同様の目標ＳＩＲ制御を行う。【０１１４】
この目標ＳＩＲの制御により、次の受信時に巡回冗長検査の良判定結果ＣＲＣ−ＯＫが発生した場合には、受信ごとに目標ＳＩＲをあらかじめ定めた第１の減少量だけ減少させ、良判定結果ＣＲＣ−ＯＫが連続する状態ではバーストエラー復帰判定基準だけ目標ＳＩＲが減少する。【０１１５】
ステップ２０５の従来の目標ＳＩＲ制御が行われた後、さらに時間Ｔｃの状態では、目標ＳＩＲ制御部１０５によってステップ２０７において（２）式による通常通信状態の判定が行われ、判定結果は通常通信状態ではない（この状態は、バーストエラー状態ＢＥである）ので、ステップ２０７の下方のＮｏの流れを辿り、ステップ２０９に到る。【０１１６】
次に、時刻ｔ４に到りＢＬＥＲが良好な状態では、目標ＳＩＲをあらかじめ定めた第２の減少量だけ減少させる。この時刻Ｔ４からスタートする時間Ｔｅの間は、バーストエラー復帰状態ＢＲとなっている。【０１１７】
ステップ２０９においては（３）式によるバーストエラー復帰状態の検出・判定が行われ、時間Ｔｅの状態では、バーストエラー復帰状態ＢＲのため、バーストエラー復帰状態の判定条件を満たす。【０１１８】
すなわち、目標ＳＩＲの制御により、受信ごとに目標ＳＩＲをあらかじめ定めた第１の減少量だけ減少させることで、図４中のＰ２で示すようにバーストエラー復帰判定基準だけ目標ＳＩＲが減少する。この結果、目標ＳＩＲ制御部１０５は、この状態をバーストエラー復帰状態ＢＲと判定する。【０１１９】
次に、バーストエラー復帰状態時はステップ２１０のバーストエラー復帰状態時の目標ＳＩＲ制御（復帰）を行い、、ステップ２１２の通常通信状態判定を行う。【０１２０】
時刻ｔ６からスタートする時間Ｔｇの間は、目標ＳＩＲ制御部１０５によってステップ２１２において（２）式による通常通信状態の判定が行われ、判定結果は通常通信状態であるので、ステップ２１２の下方のＹｅｓの流れを辿り、ステップ２０２に到る。【０１２１】
この目標ＳＩＲ制御は、既に説明したように従来の目標ＳＩＲ制御の際の第１の減少量に比べて、バーストエラー復帰状態において目標ＳＩＲを減少させる第２の減少量が大であるため、検出したバーストエラー復帰状態に応じて速やかに目標ＳＩＲを適正な値まで減少させることができる。【０１２２】
このように、本移動携帯端末では、瞬間的にＢＬＥＲの急激な劣化が発生するような環境では、図４に示したように通常通信状態からＢＬＥＲが否である状態が何回かあるためバーストエラー状態となり、このバーストエラー状態が検出され、この検出されたバーストエラー状態でＢＬＥＲの良判定が継続であるため、目標ＳＩＲの減少の状況によって、バーストエラー復帰状態が検出され、このバーストエラー復帰状態でもＢＬＥＲが良好であるためさらに目標ＳＩＲが減少されて、通常通信状態が検出される。【０１２３】
このように、本実施形態の移動携帯端末は、従来の移動携帯端末が図１に示すように時間Ｔｍだけ掛かって目標ＳＩＲを減少させていたのに対し、短い時間（Ｔｃ＋Ｔｅ）で目標ＳＩＲを減少させることができ、通信環境が復帰し良好な状態に至ったときの目標ＳＩＲを適正な範囲である図４中に示したＳ１からＳ２の範囲に収めることができる。【０１２４】
以上説明したように、本実施形態の移動携帯端末によれば、次に示すような優れた効果を得られる。
（１）移動携帯端末は、バーストエラー状態、通常状態を検出できるほか、バーストエラー復帰状態をも検出できる機能を有することで、これらの状態に対応した目標ＳＩＲを決定することができるため、目標ＢＬＥＲのみを用いて目標ＳＩＲを制御する場合に比較して、より迅速に基地局の送信電力を変化させることができる。
（２）本移動携帯端末は、小さいＳＩＲで目標ＢＬＥＲを満たす良い通信環境から、大きいＳＩＲでないと目標ＢＬＥＲを満たさない悪い通信環境に移行した場合は、目標ＳＩＲを継続的に大きくし目標ＢＬＥＲを満たすようにする必要がある。移動携帯端末は、この要求に応じる機能を有しており瞬間的なＢＬＥＲの劣化を検出し、適正な目標ＳＩＲに早く収束させることで、基地局の送信電力を過剰に要求するのを防止することができる。
（３）本移動形態端末は、シャドウイング等によりＢＬＥＲが瞬間的かつ急激に劣化するような通信環境でも、バーストエラー状態、通常状態、バーストエラー復帰状態を検出して目標ＳＩＲの制御をするため、通信環境が復帰した後直ちに基地局の送信電力を低減させる要求をすることができ、基地局の過剰な電力での送信を防ぐことができる。
（４）本移動形態端末は、通信環境が継続して悪い状態にある場合や通信環境が徐々にしか回復しない場合にも、この通信環境に応じて目標ＳＩＲを増加させたまま、目標ＳＩＲの減少量を少ない状態で維持させることで、通信環境が悪い状態での目標ＳＩＲの制御を適切に行うことができる。
【図面の簡単な説明】
【０１２５】
【図１】従来の移動携帯端末の制御例を示す目標ＳＩＲ制御図である。
【図２】本実施形態の移動携帯端末の構成例を示すブロック図である。
【図３】本実施形態の移動携帯端末の目標ＳＩＲ制御部の動作を示すフローチャートである。
【図４】本実施形態の移動携帯端末の制御例を示す目標ＳＩＲ制御図である。
【符号の説明】
【０１２６】
１０１    無線部
１０２    変復調部
１０３    符復号部
１０４    ＳＩＲ測定部
１０５    目標ＳＩＲ制御部
１０６    ＴＰＣ部
１０９    空中線（アンテナ）
２０１、２０２、２０４、２０５、２０７、２０９、２１０、２１２    ステップ
７０１    目標ＳＩＲの変化を示す折れ線
７０２    ＢＬＥＲの変化を示す折れ線
７０３    検出状態の変化を示す折れ線
８０１    目標ＳＩＲの変化を示す折れ線
８０２    ＢＬＥＲの変化を示す折れ線
ＢＥ    バーストエラー状態
ＢＲ    バーストエラー復帰状態
ＢＮ    通常通信状態
Ｐ１    バーストエラー判定基準
Ｐ２    バーストエラー復帰判定基準
Ｐ３    通常通信判定基準
ＲＰ    時間
ｔ２、ｔ４、ｔ６    時刻
Ｔａ    通常通信状態の時間
Ｔｃ    バーストエラー状態の時間
Ｔｅ    バーストエラー復帰状態の時間
Ｔｇ    通常通信状態の時間
【図１】
2007029618.tif 000002
【図２】
2007029618.tif 000003
【図３】
2007029618.tif 000004
【図４】
2007029618.tif 000005
【国際調査報告】
2007029618.tif 000006
2007029618.tif 000007
2007029618.tif 000008
2007029618.tif 000009